(57)【要約】【課題】搬送中の転写紙後端の除電効果に優れ、定着入り口ガイド板もしくは定着ニップ部でトナー像静電散りの異常画像が発生するのを防止する転写装置の転写出口搬送機構を提供する。【解決手段】転写装置から定着装置へ転写紙を搬送し、その転写出口ガイド部材の転写紙搬送動作角度及び高さが可変である転写装置の転写出口搬送機構において、移動速度、動作角度及び高さを連続的に変更する連続変更手段と、その移動速度、動作角度及び高さを任意に設定する任意設定手段を設けた。【選択図】図２
2008197587.tif 000002
【特許請求の範囲】
【請求項１】
転写装置から定着装置へ転写紙を搬送し、前記転写装置の転写出口ガイド部材の転写紙搬送動作角度及び高さが可変である転写装置の転写出口搬送機構において、移動速度、動作角度及び高さを連続的に変更する連続変更手段と、前記移動速度、動作角度及び高さを任意に設定する任意設定手段と、を設けたことを特徴とする転写装置の転写出口搬送機構。
【請求項２】
前記転写出口ガイド部材の角度と高さを無段階に連続変更する際の変更は、通紙中の任意のタイミングで行われることを特徴とする請求項１記載の転写装置の転写出口搬送機構。
【請求項３】
前記移動速度、動作角度及び高さの制御を任意に設定するために、通紙中に、前記転写紙の搬送状態を検知する検知手段を設けたことを特徴とする請求項１又は２記載の転写装置の転写出口搬送機構。
【発明の詳細な説明】
【技術分野】
【０００１】
本発明は、電子写真方式のプリンタ、ファクシミリ、複写機等の画像形成装置に使用する、転写装置の転写出口搬送機構に関するものである。
【背景技術】
【０００２】
電子写真方式のプリンタ、ファクシミリ、複写機等の画像形成装置に使用する転写装置においては、従来から、定着入り口ガイド板の角度を変更可能にする構成が種々提案されている（例えば、特許文献１乃至６参照）。
特許文献１には、転写性を良くするために入り口ガイド板を精度良く保持する技術が、特許文献２には、定着入り口ガイド板角度を制御する技術が、特許文献３には、定着入り口ガイド板を上下方向に揺動させる技術が開示されている。
また、特許文献４には、転写紙種類を指定する手段と搬送ガイドの傾斜角を調整する手段と制御する手段を持たせる技術が開示されている。さらに、特許文献５には、ガイド板角度傾斜が可変で用紙跳ね上がりを検知してガイド板角度を駆動制御する技術が開示されている。そして特許文献６には、ガイド板の角度を用紙のコシの強さに応じて可変とする技術が開示されている。
【０００３】
上述した特許文献記載の技術は、いずれもガイド板の角度は変更可能な構成であるものの高さは変更することができない構成である。このため、定着入り口部への転写紙先端の突入角度は変更可能であるが、定着ニップ部に転写紙が入り込んだ後の転写紙後端の挙動を制御することができなかった。
転写出口ガイド板は転写紙上の静電気除去機能を有しているが、その機能効果を効率的に得るためには、転写紙は常に転写出口ガイド板に密着させて搬送させる必要がある。
【０００４】
図１０は従来の構成における転写紙の定着ローラと加圧ローラのニップへの進入を説明する概略図である。従来の構成では、転写出口ガイド部材２３は定位置に固定されている。
かかる従来の構成において、剛性の高い厚紙やミシン目の入った特殊な転写紙１６が定着ローラ２７と加圧ローラ２８のニップに進入する。この場合に、転写紙１６は、図示のごとく、転写出口ガイド部材２３の搬送面から浮いて搬送される。図１０には、さらに、転写ベルト２１、駆動ローラ２２、アース２５及び定着入り口ガイド板２６が示されている。
また、ミシン目（図示せず）に沿って転写紙１６が上下にバタついて、除電部材２４の除電領域外で搬送されてしまう。そのため、除電部材２４で転写紙１６の残留電荷を除電できず、トナー像の乱れが起きる場合があった。
【０００５】
このように、上述した従来技術に示される方法では定着ニップ部に転写紙先端が突入すると転写紙の紙厚、こし等の影響で転写紙後端は転写出口ガイド板もしくは定着入り口ガイド板２６から離間して搬送されることがあった。
そのため、従来技術では、転写紙後端が転写出口ガイド板２３から離間してしまう影響で転写紙上の静電気が効率的に除去することができず、転写チリ等の画像不具合が発生する場合があった。
また、上述した従来技術のガイド板の構成は、例えば、特許文献２及び５に示されるように、片側固定軸を支軸として回動する構成としてあるため、角度は変更可能であるが、ガイド板自体の高さは変更できない構成であった。
また、そのため転写紙後端の動きに対するガイド板の高さ、角度の追従性が乏しく、転写紙上の静電気除去の際の転写紙の紙厚、こし等の違いによる用紙対応力が低く、転写チリ等の画像不具合が発生する場合があるという欠点を有していた。
【特許文献１】特開２００２−２５８６２８公報
【特許文献２】特開平１−４５８６５号公報
【特許文献３】特開平１−９７９７８号公報
【特許文献４】実公昭６３−８８６５５号公報
【特許文献５】特開平４−１１２６６号公報
【特許文献６】特公平４−７３５８８号公報
【発明の開示】
【発明が解決しようとする課題】
【０００６】
しかしながら、従来技術では、上述したように、転写ガイド板は固定式であるため、転写紙の搬送状態、転写紙の種類によっては転写ガイド板から離れて搬送される場合があり、効果的に除電が行われない場合があった。その場合には上記のようなトナー像が散る等の異常画像が発生し易くなる。
従来技術では、上記のような不具合を回避するために、転写出口ガイド板と転写紙が密接して搬送されるように導くことが重要で、次工程の定着装置との位置関係を精度良く保持する必要があった。
また、用紙が先に加圧ローラに当たると加圧に用紙が巻き込まれシワが発生し易い。それを防止するために用紙先端を先に定着ローラに当てたいとの意図から、進入角度を付けるために高低差を設けている。さらに、この高低差は加圧ローラに転写紙先端が接触した際の静電気によるトナー像散りの異常画像防止のためでもある。
とくに、近年、事前にミシン目が入っている転写紙、ハガキ用紙、カード、伝票等が添付されている特殊転写紙がコピー用紙として使用される場合が現れて来ている。
そこで、本発明の目的は、上述した実情を考慮して、搬送中の転写紙後端の除電効果に優れ、定着入り口ガイド板もしくは定着ニップ部でトナー像静電散りの異常画像が発生するのを防止する転写装置の転写出口搬送機構を提供することにある。
【課題を解決するための手段】
【０００７】
上記の課題を解決するために、請求項１に記載の発明は、転写装置から定着装置へ転写紙を搬送し、前記転写装置の転写出口ガイド部材の転写紙搬送動作角度及び高さが可変である転写装置の転写出口搬送機構において、移動速度、動作角度及び高さを連続的に変更する連続変更手段と、前記移動速度、動作角度及び高さを任意に設定する任意設定手段と、を設けたことを特徴とする。
請求項２に記載の発明は、前記転写出口ガイド部材の角度と高さを無段階に連続変更する際の変更は、通紙中の任意のタイミングで行われる請求項１記載の転写装置の転写出口搬送機構を特徴とする。
請求項３に記載の発明は、前記移動速度、動作角度及び高さの制御を任意に設定するために、通紙中に、前記転写紙の搬送状態を検知する検知手段を設けた請求項１又は２記載の転写装置の転写出口搬送機構を特徴とする
【発明の効果】
【０００８】
本発明によれば、１枚の中で紙厚が違っている紙種やミシン目が入っていて折れ易い紙種を通紙した際に、紙の表面が転写ガイド板から離れることを防止できるため、紙の除電を効果的に行うことができる。これによって、異常画像トナー静電散りを防止できる。
【発明を実施するための最良の形態】
【０００９】
以下、図面を参照して、本発明の実施の形態を詳細に説明する。図１は転写装置の転写搬送ベルト装置の構成を示す概略図である。転写装置Ａは、感光体１のトナー像をこの感光体１と転写ベルト２のニップで転写紙（図示せず）に静電的に転写させる転写工程を含んでいる。
転写装置Ａは、また、転写ベルト２に静電吸着した転写紙を次工程に送り届ける搬送工程と、転写出口搬送機構８の転写出口ガイド部材８ａに設けられた除電部材９で転写紙への帯電を積極的に除電し、転写紙上のトナー像の乱れを防止することを目的とする除電工程で構成される。
図１の転写装置Ａには、さらに、ケーシング３、従動ローラ４、駆動ローラ５、転写バイアスーラ６、転写ＤＣ高圧電源７、ガイド部材ホルダ１０、アース１１及び定着入口ガイド板１２が示されている。
上述した従来の構成では、転写出口ガイド部材８ａは定位置に固定されている。剛性の高い厚紙やミシン目の入った特殊な転写紙を通紙した場合、転写紙は定着ローラと加圧ローラのニップに進入する。
この時に、転写紙が転写出口ガイド部材８ａの搬送面から浮いたり、また、ミシン目に沿って転写紙が上下にバタついて、除電部材９の除電領域外で搬送されてしまう。そのため、除電部材９で転写紙の残留電荷を除電できず、トナー像の乱れが起きる場合があった。
【００１０】
図２は本発明による転写装置の転写出口搬送機構の実施の形態の構成を示す概略図である。図３は図２の転写出口搬送機構の作動状態を示す概略図である。図２及び図３において、本発明の転写出口搬送機構８は、転写出口ガイド部材８ａの裏側（図２では下側）に適所に回転可能に配置した１対のシャフト１８を有している。
これらのシャフト１８には、複数の偏芯カム２０が、転写出口ガイド部材８ａ下面の上流側および下流側に位置するようにそれぞれ取り付けられている。シャフト１８を回転させることで転写出口ガイド部材８ａの高さ及び角度を変えることを可能としている。図２及び図３には、さらに、転写ベルト２、駆動ローラ５、アース１１、定着入口ガイド板１２及びアース線を兼ねる引張ばね１９が示されている。
この結果、上述した厚紙やミシン目の入った転写紙を通した際に、転写出口ガイド部材８ａが除電領域外に浮き上がった場合にも、除電部材９が転写紙１６に追従可能であるため（図３）安定した除電が可能となり、トナー像の乱れを防止できる。
【００１１】
図４は駆動源としてステッピングモータを使用する転写出口搬送機構を示す概略斜視図である。図２及び図３で示した本発明による転写出口搬送機構８において、それぞれのシャフト１８端部には駆動源としてステッピングモータ１７が取り付けられている。
これにより、転写出口搬送機構８の偏芯カム２０は、各ステッピングモータ１７がそれぞれ独立した制御を行うことで角度とともに高さを自由に変えられるため、多様な紙種にも対応できるよう細かい調整が可能となっている。
なお、従来の技術ではガイド板の角度変更手段として片側支軸のカムを用いているため、無段階で角度を変更することは可能だが、搬送面の高さを変えることはできなかった。
加えて、ステッピングモータ１７のパルス数及びパルス速度を細かく制御することによって、転写出口ガイド部材８ａの高精度な位置決めと自由な移動速度の変更が可能であるため、転写紙の違いに対する転写出口ガイド部材８ａの高さの対応力が高く、紙種の違いに拘わらず、安定した転写紙の除電が可能である。
また、図２及び図３に関連して上述したように、転写出口ガイド部材８ａの裏側には、偏芯カム２０の他に導電性の引張ばね１９が設けられている。この引張ばね１９は転写出口ガイド部材８ａが偏芯カム２０の動きにも柔軟に追従可能となっているとともに、除電部材９で除電した転写紙１６の電流を筐体（アース）へ逃がす際の中継の役割も兼ねている。
【００１２】
図５は本発明による転写装置の転写出口搬送機構の構成を初期の作動状態で示す概略図である。図６は図５の転写出口搬送機構の構成を他の作動状態で示す概略図である。図７は図５の転写出口搬送機構の構成をさらに他の作動状態で示す概略図である。
図５乃至図７において、転写出口搬送機構８は、その上面を転写紙１６が通過する転写出口ガイド部材８ａ、除電部材９、アース１１へのアース線を兼用する引張ばね１９を有している。
転写出口ガイド部材８ａの下面（裏側）の転写紙搬送方向の上流側及び下流側には、適所に回転可能に取り付けられたシャフト１８に偏心カム２０が配置されている。
【００１３】
図５乃至図７を参照して、上述の転写出口搬送機構８はステッピングモータによる独立制御を行っている利点を生かし、図示してない、転写装置上流にある給紙のレジストセンサをトリガとすることで、通紙中の任意のタイミングで角度及び高さの変更が可能となっている。
例えば、ミシン目が入った特殊紙等を通した時、転写紙先端が定着ローラ１３（図２）のニップ部に進入する前は転写紙の挙動は安定しており、転写紙１６は初期状態である図５の高さで搬送される。
しかし、転写紙先端が定着ニップ部に進入すると、定着ローラ１３の方が転写ベルト２（図２）よりも線速が早いために、転写紙１６が定着部に巻き取られる形となり、転写紙後端はミシン目に沿って上下に暴れることがある。
これを解消する手段として、本発明では転写紙１６の挙動が不安定となる転写紙後端で転写出口ガイド部材８ａの角度及び高さを変えており、転写紙１６の種類に拘わらず、常に安定した搬送状態で転写紙１６を定着部へ送り届けることが可能となっている。
【００１４】
具体的には、図６の下流側のシャフト１８及び図７の上流側及び下流側のシャフト１８が回転することによって、偏心カム２０が転写出口ガイド部材８ａを持ち上げ、転写紙１６の浮きに対応した角度及び高さまで転写出口ガイド部材８ａ面を上昇させるような動作設定をする。
これによって、転写紙１６を除電部材９の除電領域内の位置に保った状態で安定した搬送が行われるため、転写紙１６からのトナー飛散を軽減することができる。なお、図６及び図７の角度及び高さの変更は連続的にも動作可能で、通紙する紙種に合わせて動き及び動作タイミングを自由に設定できる。
このように、ガイド板である転写出口ガイド部材８ａの位置及び高さを任意のタイミングで変更可能とすることによって、異常画像トナー静電散りが防止でき、１枚の中でミシン目や紙厚が変わる特殊用紙の搬送対応力が向上する。
【００１５】
図８は本発明による転写装置の転写出口搬送機構の他の実施の形態の構成を示す概略図である。図９は図８の転写出口搬送機構を作動状態において示す概略図である。図８及び図９において、本発明の転写出口搬送機構８は、その上面を転写紙１６が通過する転写出口ガイド部材８ａ、除電部材９、アース１１へのアース線を兼用する引張ばね１９を有している。
転写出口ガイド部材８ａの下面（裏側）の転写紙搬送方向の上流側及び下流側には、適所に回転可能に取り付けられたシャフト１８に偏心カム２０が配置されている。図８及び図９には、さらに、転写ベルト２、駆動ローラ５、定着入口ガイド板１２、定着装置の定着ローラ１３及び加圧ローラ１４が示されている。
この実施の形態は転写出口ガイド部材８ａの上部に転写紙１６の浮きを検知する測距センサ３０を設けている。この測距センサ３０によって通紙中に転写出口ガイド部材８ａからの転写紙１６の浮きを測定できる。
その測定した転写紙１６の浮き量に応じて転写出口ガイド部材８ａの角度及び高さを、次紙以降の転写出口ガイド部材８ａの動きにフィードバックすることが可能である。このため、例えば、吸湿に伴う転写紙剛性の変化による細かい浮きの違いも転写出口ガイド部材８ａの動きに反映可能であるなど、用紙対応力を向上させることが可能である。
【００１６】
また、この実施の形態では、測距センサ３０の出力結果に応じて、転写出口ガイド部材８ａの移動速度も柔軟に変更可能である。このため、例えば、普通紙に比べて、用紙後端の跳ね上がりが早い高剛性紙などでも常に安定した転写出口ガイド部材８ａの高さで保持でき、安定した転写紙１６の除電が可能である。
このように、ガイド板である転写出口ガイド部材８ａの位置及び高さを検知手段からの信号を受けて変更可能な構成とすることで特殊紙対応力があがる。また、転写紙後端のばたつき等を抑え、安定した紙搬送が行えるため、異常画像トナー静電散りが防止でき、ミシン目や紙厚が変わる特殊用紙の搬送対応力が向上する。
【図面の簡単な説明】
【００１７】
【図１】転写装置の転写搬送ベルト装置の構成を示す概略図である。
【図２】本発明による転写装置の転写出口搬送機構の実施の形態の構成を示す概略図である。
【図３】図２の転写出口搬送機構の作動状態を示す概略図である。
【図４】駆動源としてステッピングモータを使用する転写出口搬送機構を示す概略斜視図である。
【図５】本発明による転写装置の転写出口搬送機構の構成を初期の作動状態で示す概略図である。
【図６】図５の転写出口搬送機構の構成を他の作動状態で示す概略図である。
【図７】図５の転写出口搬送機構の構成をさらに他の作動状態で示す概略図である。
【図８】本発明による転写装置の転写出口搬送機構の他の実施の形態の構成を示す概略図である。
【図９】図８の転写出口搬送機構を作動状態において示す概略図である。
【図１０】従来の構成における転写紙の定着ローラと加圧ローラのニップへの進入を説明する概略図である。
【符号の説明】
【００１８】
Ａ  転写装置
８  転写出口搬送機構
８ａ  搬送出口ガイド部材
９  除電部材
１１  アース
１２  定着入口ガイド板
１３  定着装置（定着ローラ）
１４  定着装置（加圧ローラ）
１６  転写紙
１７  ステッピングモータ
１８  シャフト
１９  引張ばね（アース線）
２０  偏心カム
３０  検知手段（測距センサ）
【図１】
2008197587.tif 000003
【図２】
2008197587.tif 000004
【図３】
2008197587.tif 000005
【図４】
2008197587.tif 000006
【図５】
2008197587.tif 000007
【図６】
2008197587.tif 000008
【図７】
2008197587.tif 000009
【図８】
2008197587.tif 000010
【図９】
2008197587.tif 000011
【図１０】
2008197587.tif 000012